(57)【要約】【課題】支持部に支持される媒体を押さえることが可能な押さえ部を備える媒体支持ユニットにおいて、媒体の浮きを抑制する。【解決手段】媒体Ｍを支持する第１面８と、第１面８よりも窪んだ第２面１３ａと、第１面８及び第２面１３ａとの間に位置し第１面８及び第２面１３ａを繋ぐ側面である第１側面１６と、を有する支持部４と、第１面８で支持される媒体Ｍを第２面１３ａと対向する位置で押さえる押さえ面１１ａと、第１側面１６と対向する対向側面１１ｂと、を有する押さえ部１０と、を備え、支持部４と押さえ部１０とは、媒体Ｍが第１面８で支持され押さえ面１３ａで押さえられている保持状態であるときに、第１側面１６と対向側面１１ｂとの間に位置する媒体Ｍの一部を第２面１３ａから離間した状態で保持可能なように構成されていることを特徴とする媒体支持ユニット２。【選択図】図５
2016155238.tif 000002
【特許請求の範囲】
【請求項１】
媒体を支持する第１面と、前記第１面よりも窪んだ第２面と、前記第１面及び前記第２面との間に位置し前記第１面及び前記第２面を繋ぐ側面である第１側面と、を有する支持部と、
前記第１面で支持される前記媒体を前記第２面と対向する位置で押さえる押さえ面と、前記第１側面と対向する対向側面と、を有する押さえ部と、を備え、
前記支持部と前記押さえ部とは、前記媒体が前記第１面で支持され前記押さえ面で押さえられている保持状態であるときに、前記第１側面と前記対向側面との間に位置する前記媒体の一部を前記第２面から離間した状態で保持可能なように構成されていることを特徴とする媒体支持ユニット。
【請求項２】
請求項１に記載の媒体支持ユニットにおいて、
前記第１側面と前記対向側面との間隔は、前記第１面と前記第２面との間隔よりも大きいことを特徴とする媒体支持ユニット。
【請求項３】
請求項１又は２に記載の媒体支持ユニットにおいて、
前記保持状態において、前記第２面における前記押さえ面と対向しない領域の面積は、前記第２面における前記押さえ面と対向する領域の面積よりも大きいことを特徴とする媒体支持ユニット。
【請求項４】
請求項１から３のいずれか１項に記載の媒体支持ユニットにおいて、
前記保持状態における前記第１側面と前記対向側面との間隔は、３ｍｍ以上であることを特徴とする媒体支持ユニット。
【請求項５】
媒体を支持する第１面と、前記第１面よりも窪んだ第２面と、前記第１面及び前記第２面との間に位置し前記第１面及び前記第２面を繋ぐ側面である第１側面と、を有する支持部と、
前記第１面で支持される前記媒体を前記第２面と対向する位置で押さえる押さえ面と、前記第１側面と対向する対向側面と、を有する押さえ部と、を備え、
前記媒体が前記第１面で支持され前記押さえ面で押さえられている保持状態であるときにおける前記第１側面と前記対向側面との間隔は、３ｍｍ以上であることを特徴とする媒体支持ユニット。
【請求項６】
媒体を支持する第１面と、前記第１面よりも窪んだ第２面と、前記第１面及び前記第２面との間に位置し前記第１面及び前記第２面を繋ぐ側面である第１側面と、を有する支持部と、
前記第１面で支持される前記媒体を前記第２面と対向する位置で押さえる押さえ面と、前記第１側面と対向する対向側面と、を有する押さえ部と、を備え、
前記媒体が前記第１面で支持され前記押さえ面で押さえられている保持状態であるときにおける前記第１側面と前記対向側面との間隔は、使用が想定される前記媒体の厚さよりも大きいことを特徴とする媒体支持ユニット。
【請求項７】
請求項１から６のいずれか１項に記載の媒体支持ユニットと、
前記媒体支持ユニットに支持された前記媒体に記録可能な記録部と、
を備えることを特徴とする記録装置。
【請求項８】
媒体を支持する第１面と、前記第１面よりも窪んだ第２面と、前記第１面及び前記第２面との間に位置し前記第１面及び前記第２面を繋ぐ側面である第１側面と、を有する支持部と、
前記第１面で支持される前記媒体を前記第２面と対向する位置で押さえる押さえ面と、前記第１側面と対向する対向側面と、を有する押さえ部と、
を備える媒体支持ユニットにおける媒体支持方法であって、
前記媒体が前記第１面で支持され前記押さえ面で押さえられている保持状態であるときに、前記第１側面と前記対向側面との間に位置する前記媒体の一部を前記第２面から離間した状態で保持することを特徴とする媒体支持方法。
【発明の詳細な説明】
【技術分野】
【０００１】
本発明は、媒体支持ユニット、記録装置及び媒体支持方法に関する。
【背景技術】
【０００２】
従来から、支持部に支持される媒体を押さえることが可能な押さえ部を備える媒体支持ユニットが使用されている。押さえ部で媒体を押さえることで媒体の浮きを抑制してセットすることが可能になる。  
例えば、特許文献１には、支持部としてのセットトレイと、セットトレイの縁部分全周に亘って押さえることが可能な押さえ部としての枠と、を備える媒体支持ユニットが開示されている。ここで、該媒体支持ユニットの該セットトレイには、縁部分全周に亘って該枠を受けるための縁部が形成されている。
【先行技術文献】
【特許文献】
【０００３】
【特許文献１】特開２０１３−２２７０８９号公報
【発明の概要】
【発明が解決しようとする課題】
【０００４】
しかしながら、支持部の縁部分全周に亘って押さえ部を受けるための縁部が形成されていると、媒体の浮きを抑制して媒体を支持部にセットしても、例えば、硬い（コシの強い）媒体を使用する場合、並びに、媒体が空気中の水分を吸った場合や媒体にインクを付着させることに伴って媒体が膨潤した場合などにおいて、媒体が浮かないようにすることが可能な領域が無く、媒体が浮いてしまう虞がある。
【０００５】
そこで、本発明の目的は、支持部に支持される媒体を押さえることが可能な押さえ部を備える媒体支持ユニットにおいて、媒体の浮きを抑制することを目的にする。
【課題を解決するための手段】
【０００６】
上記課題を解決するための本発明の第１の態様の媒体支持ユニットは、媒体を支持する第１面と、前記第１面よりも窪んだ第２面と、前記第１面及び前記第２面との間に位置し前記第１面及び前記第２面を繋ぐ側面である第１側面と、を有する支持部と、前記第１面で支持される前記媒体を前記第２面と対向する位置で押さえる押さえ面と、前記第１側面と対向する対向側面と、を有する押さえ部と、を備え、前記支持部と前記押さえ部とは、前記媒体が前記第１面で支持され前記押さえ面で押さえられている保持状態であるときに、前記第１側面と前記対向側面との間に位置する前記媒体の一部を前記第２面から離間した状態で保持可能なように構成されていることを特徴とする。
【０００７】
本発明の第２の態様の媒体支持ユニットは、前記第１の態様において、前記第１側面と前記対向側面との間隔は、前記第１面と前記第２面との間隔よりも大きいことを特徴とする。
【０００８】
本発明の第３の態様の媒体支持ユニットは、前記第１又は第２の態様において、前記保持状態において、前記第２面における前記押さえ面と対向しない領域の面積は、前記第２面における前記押さえ面と対向する領域の面積よりも大きいことを特徴とする。
【０００９】
本発明の第４の態様の媒体支持ユニットは、前記第１から第３のいずれか１つの態様において、前記保持状態における前記第１側面と前記対向側面との間隔は、３ｍｍ以上であることを特徴とする。
【００１０】
本発明の第５の態様の媒体支持ユニットは、媒体を支持する第１面と、前記第１面よりも窪んだ第２面と、前記第１面及び前記第２面との間に位置し前記第１面及び前記第２面を繋ぐ側面である第１側面と、を有する支持部と、前記第１面で支持される前記媒体を前記第２面と対向する位置で押さえる押さえ面と、前記第１側面と対向する対向側面と、を有する押さえ部と、を備え、前記媒体が前記第１面で支持され前記押さえ面で押さえられている保持状態であるときにおける前記第１側面と前記対向側面との間隔は、３ｍｍ以上であることを特徴とする。
【００１１】
本発明の第６の態様の媒体支持ユニットは、媒体を支持する第１面と、前記第１面よりも窪んだ第２面と、前記第１面及び前記第２面との間に位置し前記第１面及び前記第２面を繋ぐ側面である第１側面と、を有する支持部と、前記第１面で支持される前記媒体を前記第２面と対向する位置で押さえる押さえ面と、前記第１側面と対向する対向側面と、を有する押さえ部と、を備え、前記媒体が前記第１面で支持され前記押さえ面で押さえられている保持状態であるときにおける前記第１側面と前記対向側面との間隔は、使用が想定される前記媒体の厚さよりも大きいことを特徴とする。
【００１２】
本発明の第７の態様の記録装置は、前記第１から第６のいずれか１つの態様の媒体支持ユニットと、前記媒体支持ユニットに支持された前記媒体に記録可能な記録部と、を備えることを特徴とする。
【００１３】
本発明の第８の態様の媒体支持方法は、媒体を支持する第１面と、前記第１面よりも窪んだ第２面と、前記第１面及び前記第２面との間に位置し前記第１面及び前記第２面を繋ぐ側面である第１側面と、を有する支持部と、前記第１面で支持される前記媒体を前記第２面と対向する位置で押さえる押さえ面と、前記第１側面と対向する対向側面と、を有する押さえ部と、を備える媒体支持ユニットにおける媒体支持方法であって、前記媒体が前記第１面で支持され前記押さえ面で押さえられている保持状態であるときに、前記第１側面と前記対向側面との間に位置する前記媒体の一部を前記第２面から離間した状態で保持することを特徴とする。
【発明の効果】
【００１４】
本発明によれば、支持部に支持される媒体を押さえることが可能な押さえ部を備える媒体支持ユニットにおいて、媒体の浮きを抑制することができる。
【図面の簡単な説明】
【００１５】
【図１】本発明の一実施例に係る記録装置の概略斜視図。
【図２】本発明の一実施例に係る記録装置の概略斜視図。
【図３】本発明の一実施例に係る記録装置の概略正面図。
【図４】本発明の一実施例に係る媒体支持ユニットを表す概略斜視図。
【図５】本発明の一実施例に係る媒体支持ユニットを表す概略側面断面図。
【図６】本発明の一実施例に係る媒体支持ユニットを表す概略平面図。
【図７】従来の媒体支持ユニットを表す概略斜視図。
【図８】従来の媒体支持ユニットを表す概略側面断面図。
【発明を実施するための形態】
【００１６】
以下に、本発明の一実施例に係る媒体支持ユニット２、並びに、該媒体支持ユニット２を備えた一実施例に係る記録装置１について、添付図面を参照して詳細に説明する。  
最初に、本実施例の記録装置１の概要について説明する。  
図１及び図２は本発明の一実施例に係る記録装置１の概略斜視図であり、このうち図１は本実施例の記録装置１の媒体Ｍ（図４参照）の支持部としてのトレイ４が記録開始位置にある状態、図２はトレイ４が媒体Ｍのセット位置にある状態を表している。  
また、図３は、本実施例の記録装置１の概略正面図である。
【００１７】
本実施例の記録装置１は、媒体Ｍをトレイ４の第１面８で支持した状態で移動方向Ａに移動する媒体支持ユニット２を備えている。媒体支持ユニット２は、媒体Ｍの支持部であるトレイ４を有している。記録装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。また、トレイ４はステージ５に載置されている。トレイ４はステージ５と共に、回転レバー９を回転させることにより、高さ方向Ｃに移動する。なお、媒体Ｍとしては、テキスタイル（織物、布等）、紙、塩化ビニル樹脂など、種々の素材のものを用いることができる。
【００１８】
また、記録装置１の本体内部にはインクを吐出して媒体Ｍに記録することが可能な記録ヘッド７が備えられている。本実施例において、記録ヘッド７は、媒体Ｍに記録を実行可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持された媒体Ｍにインクを吐出させて所望の画像を形成する。  
なお、本実施例の記録装置１は、図１及び図２中の手前側（左下方向）がトレイ４への媒体Ｍのセット位置（図２に対応）である。そして、図１及び図２中の奥側（右上方向）の記録開始位置（図１に対応）まで移動方向Ａのうちの方向Ａ１に媒体Ｍをセットしたトレイ４を移動した後、移動方向Ａのうちの方向Ａ２にトレイ４を移動しながら記録する。
【００１９】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体Ｍの移動方向Ａと交差する交差方向Ｂに形成されたノズルの領域が、媒体Ｍの交差方向Ｂ全体をカバー可能なように設けられ、記録ヘッド又は媒体Ｍを相対的に移動させて画像を形成する記録装置に用いられる記録ヘッドである。なお、ラインヘッドの交差方向Ｂのノズルの領域は、記録装置が対応している全ての媒体Ｍの交差方向Ｂ全体をカバー可能でなくてもよい。  
また、本実施例の記録ヘッド７は、媒体Ｍにインクを吐出することで記録可能な記録部であるが、このような記録部に限定されず、例えば、色材を媒体Ｍに転写して記録する転写式の記録部を使用してもよい。
【００２０】
また、本実施例の記録装置１は、図３で表されるように、センサーＳを備えており、トレイ４に支持される媒体Ｍと記録ヘッド７との間隔の異常（媒体Ｍと記録ヘッド７との間隔が狭すぎること）の有無を検出することができる構成になっている。  
ここで、センサーＳは、発光部Ｓｅと受光部Ｓｒとを有している。そして、センサーＳは、発光部Ｓｅから受光部Ｓｒに向けて光を照射し、受光部Ｓｒで該光を受光したか否かに基づいて、該間隔の異常の有無を検出する構成である。ただし、このような構成に限定はない。
【００２１】
次に、本発明の一実施例の媒体支持ユニット２について詳細に説明する。  
ここで、図４は、本実施例の媒体支持ユニット２を表す概略斜視図である。また、図５は、本実施例の媒体支持ユニット２を表す概略側面断面図である。また、図６は、本実施例の媒体支持ユニット２を表す概略平面図である。  
一方、図７は、従来の媒体支持ユニットを表す概略斜視図であり、本実施例の媒体支持ユニット２を表す図４に対応する図である。また、図８は、従来の媒体支持ユニットを表す概略側面断面図であり、本実施例の媒体支持ユニット２を表す図５に対応する図である。
【００２２】
本実施例の媒体支持ユニット２は、図４から図６で表されるように、媒体Ｍを支持する第１面８と、縁部１３に形成された第１面８よりも窪んだ第２面１３ａと、第１面８及び第２面１３ａとの間に位置し第１面８及び第２面１３ａを繋ぐ側面である第１側面１６と、を有する支持部としてのトレイ４を備えている。また、庇部１１の下面であり第１面８で支持される媒体Ｍを第２面１３ａと対向する位置で押さえる押さえ面１１ａと、庇部１１の側面であり第１側面１６と対向する対向側面１１ｂと、を有する枠状の押さえ部１０を備えている。  
トレイ４において、第１面８は、媒体Ｍにおける記録が実行される領域を支持する部分であり、第２面１３ａは、押さえ部１０を支持する部分である。第１側面１６は、第１面８及び第２面１３ａとの間に位置する面である。第１面８、第２面１３ａ及び第１側面１６は、このような役割を持つ部分であれば、平面であっても曲面であってもよい。また、第１面８、第２面１３ａ、及び第１側面１６は、必ずしも面でなくてもよい。つまり、トレイ４が、媒体Ｍにおける記録が実行される領域を支持する第１部分（第１面８に対応）と、押さえ部１０を支持する第２部分（第２面１３ａに対応）と、第１部分及び第２部分との間に位置する中間部分（第１側面１６に対応）と、を有する構成であればよい。また、押さえ部１０の対向側面１１ｂについても、第１部分及び第２部分との間に位置する中間部分と対向する役割を持つ部分であればよい。対向側面１１ｂは、平面であっても曲面であってもよいし、面でない対向部分であってもよい。  
そして、トレイ４と押さえ部１０とは、媒体Ｍが第１面８で支持され押さえ面１１ａで押さえられている（第２面１３ａと押さえ面１１ａで挟持されている）保持状態であるときに、第１側面１６と対向側面１１ｂとの間に位置する媒体Ｍの一部を第２面１３ａから離間した状態で保持可能なように構成されている。つまり、媒体Ｍにおける、第１側面１６と対向側面１１ｂとの間に位置する部分が、第２面１３ａから離間した状態で保持可能なように構成されている。  
別の表現をすると、前記保持状態であるときにおける第１側面１６と対向側面１１ｂとの間隔Ｌ１（図５（Ａ）参照）は、使用が想定される媒体Ｍの厚さ（使用が想定される媒体Ｍのうちの最大の厚さの媒体Ｍの厚さ）よりも大きくなるように構成されている。  
すなわち、トレイ４と押さえ部１０とは、第１面８と第２面１３ａとの段差部分（第１側面１６）と、第２面１３ａと押さえ面１１ａとによる媒体の挟持部分（対向側面１６）と、の間隔Ｌ１を十分とるように構成されている。該間隔Ｌ１を十分とることで、例えば、硬い（コシの強い）媒体Ｍを使用する場合や媒体Ｍが膨潤した場合などにおいて、媒体Ｍが浮かないようにすることが可能な領域Ｒ１（第２面１３ａにおける押さえ面１１ａと対向しない領域Ｒ１）を十分にとることができるようにしている。領域Ｒ１は、弛ませた状態（裏側に突出した状態）やシワができた状態（表側に突出した状態）で媒体Ｍの一部を保持可能な、緩衝領域として機能する。領域Ｒ１に位置する媒体Ｍの一部は第１面８より低い位置にあるため、媒体Ｍが変形した場合でも、第１面８に対する浮きＷとはなりにくい。つまり、領域Ｒ１を設けることで、第１面８よりも低い位置で媒体Ｍの弛みやシワを逃がすことが可能な空間を設けることができる。このため、本実施例の媒体支持ユニット２は媒体Ｍの浮きＷを抑制することができる構成になっており、本実施例の記録装置１は媒体Ｍの浮きＷを抑制して記録することができる構成になっている。
【００２３】
また、さらに別の表現をすると、本実施例の媒体支持ユニット２を用い、媒体Ｍが第１面８で支持され押さえ面１１ａで押さえられている保持状態であるときに、第１側面１６と対向側面１１ｂとの間に位置する媒体Ｍの一部を第２面１３ａから離間した状態で保持することができる。こうして、第１側面１６と対向側面１６との間隔Ｌ１を十分とることで、例えば、硬い（コシの強い）媒体Ｍを使用する場合や媒体Ｍが膨潤した場合などにおいて、媒体Ｍが浮かないようにすることが可能な領域を十分にとることができる。
【００２４】
ここで、図５は、本実施例の媒体支持ユニット２において、図４で表される状態（媒体Ｍをトレイ４にセットしようとしている状態）から媒体Ｍを載置したトレイ４に対して押さえ部１０を組み合わせた状態を表している。このうち、図５（Ａ）は軟らかい（コシの弱い）媒体Ｍを使用した場合を表しており、図５（Ｂ）は硬い（コシの強い）媒体Ｍを使用した場合を表している。  
一方、図８は、従来の媒体支持ユニットにおいて、図７で表される状態（媒体Ｍをトレイ４にセットしようとしている状態）から媒体Ｍを載置したトレイ４に対して押さえ部１０を組み合わせた状態を表している。このうち、図８（Ａ）は軟らかい（コシの弱い）媒体Ｍを使用した場合を表しており、図８（Ｂ）は硬い（コシの強い）媒体Ｍを使用した場合を表している。
【００２５】
本実施例の媒体支持ユニット２は、第１側面１６と対向側面１１ｂとの間隔Ｌ１が大きく、押さえ部１０の壁部１２の側面１２ａと縁部１３の側面１３ｂとの間隔Ｌ２が小さい構成である。そして、第１側面１６と対向側面１１ｂとの間ではなく、側面１２ａと側面１３ｂとの間で、媒体Ｍを挟持して媒体Ｍを保持する構成である。このような構成により、図５（Ａ）で表されるような軟らかい（コシの弱い）媒体Ｍを使用した場合だけでなく、図５（Ｂ）で表されるような硬い（コシの強い）媒体Ｍを使用した場合においても領域Ｒ１で媒体Ｍが浮かないようにカールさせることで、浮きＷをあまり生じさせない状態で媒体Ｍを保持することができる。  
一方、従来の媒体支持ユニットは、第１側面１６と対向側面１１ｂとの間隔Ｌ１が小さく、押さえ部１０の壁部１２の側面１２ａと縁部１３の側面１３ｂとの間隔Ｌ２が大きい構成である。そして、第１側面１６と対向側面１１ｂとの間で媒体Ｍを挟持して媒体Ｍを保持する構成である。このため、図８（Ａ）で表されるように、軟らかい（コシの弱い）媒体Ｍを使用した場合は、浮きＷをあまり生じさせない状態で媒体Ｍを保持することができる。しかしながら、図８（Ｂ）で表されるように、硬い（コシの強い）媒体Ｍを使用した場合は、領域Ｒ１が無いので、比較的大きな浮きＷが生じる場合がある。
【００２６】
なお、上記説明では、図５（Ａ）及び図８（Ａ）を用いて軟らかい（コシの弱い）媒体Ｍを使用した場合について説明し、図５（Ｂ）及び図８（Ｂ）を用いて硬い（コシの強い）媒体Ｍを使用した場合について説明した。しかしながら、図５（Ａ）及び図８（Ａ）で表されるような状態でセットされた媒体Ｍが膨潤した場合、図５（Ｂ）及び図８（Ｂ）のようになる。つまり、図８（Ｂ）のように、従来の媒体支持ユニットは、媒体Ｍが膨潤すると浮きＷを生じさせることなく媒体Ｍを保持することができない場合がある。一方で、図５（Ｂ）のように、本実施例の媒体支持ユニット２は、媒体Ｍが膨潤しても浮きＷをあまり生じさせない状態で媒体Ｍを保持することができる。
【００２７】
ここで、上記のように、本実施例の媒体支持ユニット２は、間隔Ｌ２が小さい構成である。このため、図４で表される状態から媒体Ｍを載置したトレイ４に対して押さえ部１０を組み合わせた状態に移行する際において、間隔Ｌ１が大きく間隔Ｌ２が小さいことによって媒体Ｍが該間隔Ｌ２で挟持されて下側に引っ張られる。このように、媒体Ｍが該間隔Ｌ２において下側に引っ張られることで、第１面８上の媒体Ｍは周囲から引っ張られることとなり、第１面８上の媒体Ｍの浮きが軽減される。ただし、このような間隔Ｌ２が小さい構成に限定されない。
【００２８】
また、本実施例の媒体支持ユニット２は、第１側面１６と対向側面１１ｂとの間隔Ｌ１は、第１面８と第２面１３ａとの間隔Ｌ３よりも大きくなるように構成されている。このような構成により、トレイ４と押さえ部１０とは、第１側面１６と対向側面１１ｂとの間隔Ｌ１を、第１面８と第２面１３ａとの間隔Ｌ３よりも大きく、すなわち、十分とるように構成しており、媒体Ｍの浮きＷを抑制している。  
ここで、第１面８と第２面１３ａとの間隔Ｌ３は、高さ方向Ｃ（媒体Ｍの支持方向）の間隔である。
【００２９】
また、図６で表されるように、本実施例の媒体支持ユニット２は、媒体Ｍが第１面８で支持され押さえ面１１ａで押さえられている保持状態において、第２面１３ａにおける押さえ面１１ａと対向しない領域Ｒ１（第２面１３ａにおける対向側面１１ｂの位置に対応する破線の内側の領域）の面積は、第２面１３ａにおける押さえ面１１ａと対向する領域Ｒ２（第２面１３ａにおける対向側面１１ｂの位置に対応する破線の外側の領域）の面積よりも大きくなるように構成されている。すなわち、第２面１３ａにおいて、例えば、硬い（コシの強い）媒体Ｍを使用する場合や媒体Ｍが膨潤した場合などにおいて、媒体Ｍが浮かないようにすることが可能な領域Ｒ１を十分にとっている。
【００３０】
なお、本実施例の媒体支持ユニット２では、第１側面１６と対向側面１１ｂとの間隔Ｌ１は８ｍｍ、側面１２ａと側面１３ｂとの間隔Ｌ２は１．１ｍｍ、第１面８と第２面１３ａとの間隔Ｌ３は４ｍｍである。  
特にこれらの間隔に限定はないが、第１側面１６と対向側面１１ｂとの間隔Ｌ１は３ｍｍ以上であることが好ましい。該間隔Ｌ１を３ｍｍ以上とすることで、該間隔Ｌ１が十分な距離となり、例えば、硬い（コシの強い）媒体Ｍを使用する場合や媒体Ｍが膨潤した場合などにおいても、媒体Ｍが浮かないようにすることが可能な領域Ｒ１を十分にとることができるためである。媒体Ｍの一例としてはテキスタイルが挙げられるが、間隔Ｌ１が３ｍｍ以上であれば、衣服に一般的に用いられる厚みのテキスタイルにおいて、十分な距離となる。
【００３１】
なお、図４で表されるように、本実施例のトレイ４には、ステージ５から取り外して床などに設置する際の設置部１４と、ステージ５に対して位置決め可能な位置決め部１５とを備えている。ただし、トレイ４の構成に特に限定はない。
【００３２】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３３】
本発明の第１の態様の媒体支持ユニット２は、媒体Ｍを支持する第１面８と、第１面８よりも窪んだ第２面１３ａと、第１面８及び第２面１３ａとの間に位置し第１面８及び第２面１３ａを繋ぐ側面である第１側面１６と、を有する支持部４と、第１面８で支持される媒体Ｍを第２面１３ａと対向する位置で押さえる押さえ面１１ａと、第１側面１６と対向する対向側面１１ｂと、を有する押さえ部１０と、を備え、支持部４と押さえ部１０とは、媒体Ｍが第１面８で支持され押さえ面１３ａで押さえられている保持状態であるときに、第１側面１６と対向側面１１ｂとの間に位置する媒体Ｍの一部を第２面１３ａから離間した状態で保持可能なように構成されていることを特徴とする。
【００３４】
本態様によれば、支持部４と押さえ部１０とは、前記保持状態であるときに、第１側面１６と対向側面１１ｂとの間に位置する媒体Ｍの一部を第２面１３ａから離間した状態で保持可能なように構成されている。すなわち、支持部４と押さえ部１０とは、第１側面１６と対向側面１１ｂとの間隔Ｌ１を十分とるように構成されている。該間隔Ｌ１を十分とることで、例えば、硬い（コシの強い）媒体Ｍを使用する場合や媒体Ｍが膨潤した場合などにおいて、媒体Ｍが浮かないようにすることが可能な領域Ｒ１を十分にとることができる。このため、媒体Ｍの浮きを抑制することができる。
【００３５】
本発明の第２の態様の媒体支持ユニット２は、前記第１の態様において、第１側面１６と対向側面１１ｂとの間隔Ｌ１は、第１面８と第２面１３ａとの間隔Ｌ３よりも大きいことを特徴とする。
【００３６】
本態様によれば、第１側面１６と対向側面１１ｂとの間隔Ｌ１は、第１面８と第２面１３ａとの間隔Ｌ３よりも大きい。すなわち、支持部４と押さえ部１０とは、第１側面１６と対向側面１１ｂとの間隔Ｌ１離を、第１面８と第２面１３ａとの間隔Ｌ３よりも大きく、すなわち、十分とるように構成されている。このため、媒体Ｍの浮きを抑制することができる。
【００３７】
本発明の第３の態様の媒体支持ユニット２は、前記第１又は第２の態様において、前記保持状態において、第２面１３ａにおける押さえ面１１ａと対向しない領域Ｒ１の面積は、第２面１３ａにおける押さえ面１１ａと対向する領域Ｒ２の面積よりも大きいことを特徴とする。
【００３８】
本態様によれば、前記保持状態において、第２面１３ａにおける押さえ面１１ａと対向しない領域Ｒ１の面積は、第２面１３ａにおける押さえ面１１ａと対向する領域Ｒ２の面積よりも大きい。すなわち、第２面１３ａにおいて、例えば、硬い（コシの強い）媒体Ｍを使用する場合や媒体Ｍが膨潤した場合などにおいて、媒体Ｍが浮かないようにすることが可能な領域Ｒ１（第２面１３ａにおける押さえ面１１ａと対向しない領域Ｒ１）を十分にとることができる。
【００３９】
本発明の第４の態様の媒体支持ユニット２は、前記第１から第３のいずれか１つの態様において、前記保持状態における第１側面１６と対向側面１１ｂとの間隔Ｌ１は、３ｍｍ以上であることを特徴とする。
【００４０】
本態様によれば、前記保持状態における第１側面１６と対向側面１１ｂとの間隔Ｌ１は、３ｍｍ以上である。すなわち、支持部４と押さえ部１０とは、第１側面１６と対向側面１１ｂとの間隔Ｌ１を十分とるように構成されている。該間隔Ｌ１を３ｍｍ以上とすることで、例えば、硬い（コシの強い）媒体Ｍを使用する場合や媒体Ｍが膨潤した場合などにおいて、媒体Ｍが浮かないようにすることが可能な領域Ｒ１を十分にとることができる。
【００４１】
本発明の第５の態様の媒体支持ユニット２は、媒体Ｍを支持する第１面８と、第１面８よりも窪んだ第２面１３ａと、第１面８及び第２面１３ａとの間に位置し第１面８及び第２面１３ａを繋ぐ側面である第１側面１６と、を有する支持部４と、第１面８で支持される媒体Ｍを第２面１３ａと対向する位置で押さえる押さえ面１１ａと、第１側面１６と対向する対向側面１１ｂと、を有する押さえ部１０と、を備え、媒体Ｍが第１面８で支持され押さえ面１１ａで押さえられている保持状態であるときにおける第１側面１６と対向側面１１ｂとの間隔Ｌ１は、３ｍｍ以上であることを特徴とする。
【００４２】
本態様によれば、前記保持状態における第１側面１６と対向側面１１ｂとの間隔Ｌ１は、３ｍｍ以上である。すなわち、支持部４と押さえ部１０とは、第１側面１６と対向側面１１ｂとの間隔Ｌ１を十分とるように構成されている。該間隔Ｌ１を３ｍｍ以上とすることで、例えば、硬い（コシの強い）媒体Ｍを使用する場合や媒体Ｍが膨潤した場合などにおいて、媒体Ｍが浮かないようにすることが可能な領域Ｒ１を十分にとることができる。
【００４３】
本発明の第６の態様の媒体支持ユニット２は、媒体Ｍを支持する第１面８と、第１面８よりも窪んだ第２面１３ａと、第１面８及び第２面１３ａとの間に位置し第１面８及び第２面１３ａを繋ぐ側面である第１側面１６と、を有する支持部４と、第１面８で支持される媒体Ｍを第２面１３ａと対向する位置で押さえる押さえ面１１ａと、第１側面１６と対向する対向側面１１ｂと、を有する押さえ部１０と、を備え、媒体Ｍが第１面８で支持され押さえ面１１ａで押さえられている保持状態であるときにおける第１側面１６と対向側面１１ｂとの間隔Ｌ１は、使用が想定される媒体Ｍの厚さよりも大きいことを特徴とする。
【００４４】
ここで、「使用が想定される媒体Ｍの厚さ」とは、使用が想定される媒体Ｍのうちの最大の厚さの媒体Ｍの厚さを意味する。  
本態様によれば、前記保持状態であるときにおける第１側面１６と対向側面１１ｂとの間隔Ｌ１は、使用が想定される媒体Ｍの厚さよりも大きい。すなわち、支持部４と押さえ部１０とは、第１側面１６と対向側面１１ｂとの間隔Ｌ１を十分とるように構成されている。該間隔Ｌ１を使用が想定される媒体Ｍの厚さよりも大きくとることで、例えば、硬い（コシの強い）媒体Ｍを使用する場合や媒体Ｍが膨潤した場合などにおいて、媒体Ｍが浮かないようにすることが可能な領域を十分にとることができる。
【００４５】
本発明の第７の態様の記録装置１は、前記第１から第６のいずれか１つの態様の媒体支持ユニット２と、媒体支持ユニット２に支持された記媒体Ｍに記録可能な記録部７と、を備えることを特徴とする。
【００４６】
本態様によれば、媒体Ｍの浮きＷを抑制して記録することができる。
【００４７】
本発明の第８の態様の媒体支持方法は、媒体Ｍを支持する第１面８と、第１面８よりも窪んだ第２面１３ａと、第１面８及び第２面１３ａとの間に位置し第１面８及び第２面１３ａを繋ぐ側面である第１側面１６と、を有する支持部４と、第１面８で支持される媒体Ｍを第２面１３ａと対向する位置で押さえる押さえ面１１ａと、第１側面１６と対向する対向側面１１ｂと、を有する押さえ部１０と、を備える媒体支持ユニット２における媒体支持方法であって、媒体Ｍが第１面８で支持され押さえ面１１ａで押さえられている保持状態であるときに、第１側面１６と対向側面１１ｂとの間に位置する媒体Ｍの一部を第２面１３ａから離間した状態で保持することを特徴とする。
【００４８】
本態様によれば、媒体Ｍが前記保持状態であるときに、第１側面１６と対向側面１１ｂとの間に位置する媒体Ｍの一部を第２面１３ａから離間した状態で保持することが可能である。すなわち、第１側面１６と対向側面１１ｂとの間隔Ｌ１を十分とる。該間隔Ｌ１を十分とることで、例えば、硬い（コシの強い）媒体Ｍを使用する場合や媒体Ｍが膨潤した場合などにおいて、媒体Ｍが浮かないようにすることが可能な領域Ｒ１を十分にとることができる。
【符号の説明】
【００４９】
１  記録装置、２  媒体支持ユニット、３  媒体搬送部、４  トレイ（支持部）、
５  ステージ、６  キャリッジ、７  記録ヘッド（記録部）、８  第１面、
９  回転レバー、１０  押さえ部、１１  庇部、１１ａ  押さえ面、
１１ｂ  対向側面、１２  壁部、１２ａ  壁部１２の側面、１３  トレイ４の縁部、
１３ａ  第２面、１３ｂ  縁部１３の側面、１４  設置部、１５  位置決め部、
１６  第１側面、Ｌ１  第１側面１６と対向側面１１ｂとの間隔、
Ｌ２  側面１２ａと側面１３ｂとの間隔、Ｌ３  第１面８と第２面１３ａとの間隔、
Ｍ  媒体、
Ｒ１  第２面１３ａにおける押さえ面１１ａと対向しない領域（媒体Ｍが浮かないようにすることが可能な領域）、
Ｒ２  第２面１３ａにおける押さえ面１１ａと対向する領域、Ｓ  センサー、
Ｓｅ  発光部、Ｓｒ  受光部、Ｗ  媒体Ｍの浮き
【図１】
2016155238.tif 000003
【図２】
2016155238.tif 000004
【図３】
2016155238.tif 000005
【図４】
2016155238.tif 000006
【図５】
2016155238.tif 000007
【図６】
2016155238.tif 000008
【図７】
2016155238.tif 000009
【図８】
2016155238.tif 000010